(57)【特許請求の範囲】
【請求項１】
組み合わせて使用又は流通される複数の物品を備えたＡＲ対応物品セットであって、
前記複数の物品の各々には、拡張現実（ＡＲ）を利用したＡＲコンテンツを提供するシステムに使用されるＡＲマーカーを複数に分割してなる複数のＡＲマーカー片のうちいずれか１つ又は複数のＡＲマーカー片が設けられており、
前記ＡＲコンテンツは、前記物品の撮像画像に重ねて又は前記物品の撮像画像の周辺に表示されるコンテンツであり、
前記複数の物品の一部である第１の物品に複数種類の前記ＡＲマーカーに共通のＡＲマーカー片である共通マーカー片を設け、前記複数種類の物品のうちの残りの物品である第２の物品に前記複数種類のＡＲマーカーに非共通の異なる個別のＡＲマーカー片である個別マーカー片を設け、
１又は複数の前記共通マーカー片及び１又は複数の前記個別マーカー片を含む前記複数のＡＲマーカー片は、前記複数の物品を組み合わせたときにそれぞれの前記共通マーカー片及び前記個別マーカー片をつなぎ合わせて前記ＡＲマーカーを形成可能に前記複数の物品に設けられ、
前記システムは、１又は複数の前記共通マーカー片と１又は複数の前記個別マーカー片とをつなぎ合わせてなる複数種類の前記ＡＲマーカーのそれぞれについて異なる前記ＡＲコンテンツを登録し、登録した複数種類の前記ＡＲコンテンツのうち、提供要求のあった前記ＡＲマーカーの種類に対応する前記ＡＲコンテンツを提供するように構成されていることを特徴とするＡＲ対応物品セット。
【請求項２】
請求項１において、
前記複数の物品のうち少なくとも１つには、同一の前記ＡＲマーカー片が複数個設けられているＡＲ対応物品セット。
【請求項３】
請求項１又は２において、
前記複数の物品は、飲用容器と、コースター又はソーサーとを含むＡＲ対応物品セット。
【請求項４】
請求項３において、
複数個の前記ＡＲマーカー片が、前記コースター又はソーサーの周縁部に周方向に沿って所定間隔を空けて設けられているＡＲ対応物品セット。
【請求項５】
請求項３又は４において、
前記複数の物品は、前記飲用容器と前記コースターとを含み、
前記コースターの前記飲用容器を載置する載置面には、前記飲用容器を載置する位置をガイドするマークが設けられているＡＲ対応物品セット。
【請求項６】
組み合わせて使用又は流通される複数の物品を備えたＡＲ対応物品セットであって、
前記複数の物品の各々には、拡張現実（ＡＲ）を利用したＡＲコンテンツを提供するシステムに使用される複数種類のＡＲマーカーをそれぞれ複数に分割してなる複数種類の複数のＡＲマーカー片のうち各種１つずつ又は複数ずつのＡＲマーカー片が設けられており、
前記ＡＲコンテンツは、前記物品の撮像画像に重ねて又は前記物品の撮像画像の周辺に表示されるコンテンツであり、
前記複数の物品の一部である第１の物品に複数種類の前記ＡＲマーカーに共通のＡＲマーカー片である共通マーカー片を設け、前記複数種類の物品のうちの残りの物品である第２の物品に前記複数種類のＡＲマーカーに非共通の異なる個別のＡＲマーカー片である個別マーカー片を設け、
１又は複数の前記共通マーカー片及び１又は複数の前記個別マーカー片を含む前記複数種類の複数のＡＲマーカー片は、前記複数の物品を組み合わせたときにそれぞれの同じ種類の前記ＡＲマーカーに対応する共通マーカー片及び前記個別マーカー片をつなぎ合わせて前記複数種類のＡＲマーカーのうち少なくとも１種を形成可能に前記複数の物品に設けられ、
前記システムは、１又は複数の前記共通マーカー片と１又は複数の前記個別マーカー片とをつなぎ合わせてなる複数種類の前記ＡＲマーカーのそれぞれについて異なる前記ＡＲコンテンツを登録し、登録した複数種類の前記ＡＲコンテンツのうち、提供要求のあった前記ＡＲマーカーの種類に対応する前記ＡＲコンテンツを提供するように構成されていることを特徴とするＡＲ対応物品セット。
【請求項７】
請求項１乃至６のいずれか１項に記載のＡＲ対応物品セットを構成するＡＲ対応物品であって、前記ＡＲマーカー片が設けられていることを特徴とするＡＲ対応物品。
【発明の詳細な説明】
【技術分野】
【０００１】
本発明は、組み合わせて使用又は流通可能な複数の物品を備えた物品セットに係り、特に、拡張現実（ＡＲ：Augmented Reality）のコンテンツを提供するシステムに使用されるＡＲマーカーの設けられたＡＲ対応物品セット及びこれを構成するＡＲ対応物品に関する。
【背景技術】
【０００２】
従来、例えば、飲用容器と組み合わせて使用されるコースターなどの物品にＡＲマーカーを設けたものがある。例えば、引用文献１には、容器の載置面又はその反対面にＡＲマーカーが設けられたコースターの発明が記載されている。
【先行技術文献】
【特許文献】
【０００３】
【特許文献１】特開２０１４−８３２４４号公報
【発明の概要】
【発明が解決しようとする課題】
【０００４】
しかしながら、上記特許文献１のコースターは、コースターに設けられたＡＲマーカーに対応するＡＲコンテンツを表示することしかできない。即ち、コースターと容器とがどのような組み合わせであってもコースターに設けられたＡＲマーカーに対応するＡＲコンテンツしか表示しない。特に、コースターに飲用容器を載置したときに、飲用容器によってコースターに設けられたＡＲマーカーが隠れてしまいＡＲコンテンツを表示できない場合がある。
【０００５】
そこで、本発明は、このような従来の技術の有する未解決の課題に着目してなされたものであって、組み合わせて使用又は流通される複数の物品を備えた物品セットであって、組み合わせたときに１つのＡＲマーカーを形成可能に構成されたＡＲ対応物品セット及びこれを構成するＡＲ対応物品を提供することを目的としている。
【課題を解決するための手段】
【０００６】
〔発明１〕  上記目的を達成するために、発明１のＡＲ対応物品セットは、組み合わせて使用又は流通される複数の物品を備えたＡＲ対応物品セットであって、前記複数の物品の各々には、拡張現実（ＡＲ）を利用したＡＲコンテンツを提供するシステムに使用されるＡＲマーカーを複数に分割してなる複数のＡＲマーカー片のうちいずれか１つ又は複数のＡＲマーカー片が設けられており、前記複数のＡＲマーカー片は、前記複数の物品を組み合わせたときにそれぞれの前記ＡＲマーカー片をつなぎ合わせて前記ＡＲマーカーを形成可能に前記複数の物品に設けられている。
【０００７】
このような構成であれば、組み合わせて使用又は流通される複数の物品を組み合わせてそれぞれのＡＲマーカー片をつなぎ合わせることで１つのＡＲマーカーを形成することができる。
ここで、組み合わせて使用される複数の物品とは、例えば、グラスとグラスを置くコースター、カップとカップを置くソーサー、カードゲームのカードとカードを置くプレイマット、フライパンとフライパンの蓋、鍋と鍋蓋などの組み合わせて使用される物品が該当する。
【０００８】
また、組み合わせて流通される複数の物品とは、例えば、石鹸、お菓子、文房具などの組み合わせて流通されるものが該当する。例えば、これらの物品を包装する箱などにＡＲマーカー片が設けられ、複数の箱のＡＲマーカー片をつなぎ合わせることでＡＲマーカーを形成できるように構成にする。
【０００９】
また、ＡＲマーカー片をつなぎ合わせるとは、マーカー片同士をぴったりとつないだり、一方を他方にオーバーラップさせてつないだりすることに加えて、ＡＲマーカー片が文字などの場合は隙間を空けた状態で所定の位置関係で配置することも含む。
〔発明２〕  さらに、発明２のＡＲ対応物品セットは、発明１のＡＲ対応物品セットにおいて、前記複数のＡＲマーカー片の一部は、複数種類のＡＲマーカーに共通のＡＲマーカー片から構成されている。
【００１０】
このような構成であれば、複数種類のＡＲマーカーに共通のＡＲマーカー片が設けられた物品に対して、複数種類のＡＲマーカーのうちのいずれか１種のＡＲマーカーに対応する非共通のＡＲマーカー片が設けられた物品を組み合わせることで、複数種類のＡＲマーカーのうちのいずれか１種を形成することができる。
【００１１】
〔発明３〕  さらに、発明３のＡＲ対応物品セットは、発明１又は２のＡＲ対応物品セットにおいて、前記複数の物品のうち少なくとも１つには、同一の前記ＡＲマーカー片が複数個設けられている。
このような構成であれば、複数の物品を組み合わせたときに少なくとも１つの物品に複数個設けられた同一のＡＲマーカー片のいずれか１つと他の物品のＡＲマーカー片とをつなぎ合わせてＡＲマーカーを形成することができる。
【００１２】
〔発明４〕  さらに、発明４のＡＲ対応物品セットは、発明１乃至３のいずれか１のＡＲ対応物品セットにおいて、前記複数の物品は、飲用容器と、コースター又はソーサーとを含む。
このような構成であれば、例えば飲用容器をコースター又はソーサー上に載置して、飲用容器に設けられたＡＲマーカー片とコースター又はソーサーに設けられたＡＲマーカー片とをつなぎ合わせることでＡＲマーカーを形成することができる。
【００１３】
ここで、飲用容器は、ティーカップ、コーヒーカップ等の取手付きの容器、湯呑、グラスなどの取手の無い容器、ペットボトル、ガラスびんなどの飲料を飲むときに用いられる容器が該当する。
〔発明５〕  さらに、発明５のＡＲ対応物品セットは、発明４のＡＲ対応物品セットにおいて、複数個の前記ＡＲマーカー片が、前記コースター又はソーサーの周縁部に周方向に沿って所定間隔を空けて設けられている。
【００１４】
このような構成であれば、例えばコースター又はソーサーの周縁部の内径以下の径の飲用容器をコースター又はソーサー上に載置したときに、飲用容器の周囲を囲むようにコースター又はソーサーに設けられたＡＲマーカー片が配置される。
〔発明６〕  一方、上記目的を達成するために、発明６のＡＲ対応物品セットは、組み合わせて使用又は流通される複数の物品を備えたＡＲ対応物品セットであって、前記複数の物品の各々には、拡張現実（ＡＲ）を利用したＡＲコンテンツを提供するシステムに使用される複数種類のＡＲマーカーをそれぞれ複数に分割してなる複数種類の複数のＡＲマーカー片のうち各種１つずつ又は複数ずつのＡＲマーカー片が設けられており、前記複数種類の複数のＡＲマーカー片は、前記複数の物品を組み合わせたときにそれぞれの同じ種類の前記ＡＲマーカーに対応する前記ＡＲマーカー片をつなぎ合わせて前記複数種類のＡＲマーカーのうち少なくとも１種を形成可能に前記複数の物品に設けられている。
【００１５】
このような構成であれば、組み合わせて使用又は流通される複数の物品を組み合わせて同じ種類のＡＲマーカーに対応するＡＲマーカー片をつなぎ合わせることで複数種類のＡＲマーカーのうち少なくとも１種を形成することができる。
ここで、複数種類のＡＲマーカーの全種を同時に形成できる構成としてもよいし、複数種類のうちの一部（１種も含む）を同時に形成できるようにしてもよい。
【００１６】
〔発明７〕  さらに、発明７のＡＲ対応物品セットは、発明６のＡＲ対応物品セットにおいて、前記複数種類のＡＲマーカーの各々の複数のＡＲマーカー片の一部は、前記複数種類のＡＲマーカーに共通のＡＲマーカー片から構成されており、前記複数種類の物品の一部には、前記共通のＡＲマーカー片のみが設けられている。
【００１７】
このような構成であれば、複数の物品を組み合わせたときに少なくとも１つの物品に複数個設けられた共通のＡＲマーカー片のいずれか１つと複数種類のＡＲマーカーのうちいずれか１種の非共通のＡＲマーカー片が設けられた他の物品のＡＲマーカー片とをつなぎ合わせて複数種類のＡＲマーカーのうち少なくとも１種を形成することができる。
【００１８】
〔発明８〕  また、上記目的を達成するために、発明８のＡＲ対応物品は、発明１乃至７のいずれか１に記載のＡＲ対応物品セットを構成するＡＲ対応物品であって、前記ＡＲマーカー片が設けられている。
このような構成であれば、同じ物品セットに属する他の物品と組み合わせてそれぞれのＡＲマーカー片をつなぎ合わせることでＡＲマーカーを形成することができる。
【発明の効果】
【００１９】
以上説明したように、発明１のＡＲ対応物品セットによれば、複数の物品を組み合わせた状態でＡＲマーカーを形成することができるので、カメラを搭載した情報通信端末にて、複数の物品を組み合わせた状態でＡＲマーカーを撮像することができるとともにＡＲコンテンツを表示することができる。また、複数の物品間で複数のＡＲマーカー片をつなぎ合わせてＡＲマーカーを形成することができるので、例えば、様々な種類の飲用容器と様々な種類のソーサーとの組み合わせごとに、形成可能なＡＲマーカーの種類を変更することで、組み合わせごとに異なるＡＲコンテンツを提供可能な物品セットを構成することができる。
【００２０】
また、発明２のＡＲ対応物品セットによれば、例えば、ＡＲ対応物品セットを構成する物品のうち共通のＡＲマーカー片の設けられた少なくとも１つの物品に対して、各種非共通のＡＲマーカー片の設けられた他の物品を組み合わせることで、様々なＡＲコンテンツを提供することができる。その結果、ＡＲ対応物品セットを構成する物品のうち少なくとも１つに設けるＡＲマーカー片を１種類にすることができるので、比較的低コストで、複数種類のＡＲマーカーに対応した複数種類の物品セットを構成することができる。
【００２１】
また、発明３のＡＲ対応物品セットによれば、複数あるうちのいずれか１つとつなぎ合わせればよいのでＡＲマーカーを形成し易くすることができる。
また、発明４のＡＲ対応物品セットによれば、飲用容器とコースター又はソーサーとを含む物品セットにおいて、上記発明１乃至３のいずれか１と同等の効果が得られる。
【００２２】
また、発明５のＡＲ対応物品セットによれば、コースター又はソーサーに設けられたＡＲマーカー片を隠さずに、飲用容器を、コースター又はソーサーの上に載置しやすくすることができる。加えて、飲用容器側にも複数個のＡＲマーカー片を設けることで、飲用容器とコースター又はソーサーとの間で互いの最も近くにあるＡＲマーカー片同士をつなぎ合わせることでＡＲマーカーを形成できるので、ＡＲマーカーを形成し易くできる。
【００２３】
また、発明６のＡＲ対応物品セットによれば、上記発明１と同等の効果に加えて、同じ物品セットにて、複数種類のＡＲコンテンツを提供することが可能となる。
また、発明７のＡＲ対応物品セットによれば、共通のＡＲマーカー片の設けられた物品に対して、同じ物品セットに属する各種非共通のＡＲマーカー片の設けられた他の物品を組み合わせることで、様々なＡＲコンテンツを提供可能な物品セットを構成することができる。その結果、比較的低コストで、複数種類のＡＲマーカーに対応した物品セットを構成することができる。
【００２４】
また、発明８のＡＲ対応物品によれば、上記発明１の効果と同等の効果が得られる。
【図面の簡単な説明】
【００２５】
【図１】本実施の形態に係るネットワークシステムの構成を示すブロック図である。
【図２】ＡＲコンテンツ提供サーバ１００のハードウェア構成の一例を示す図である。
【図３】記憶装置４２に記憶されている各種管理テーブルを示す図である。
【図４】提供者管理テーブル４００、ＡＲマーカー管理テーブル４１０及びＡＲコンテンツ管理テーブル４２０のデータ構造を示す図である。
【図５】ＡＲコンテンツ提供処理を示すフローチャートである。
【図６】ＡＲコンテンツ表示処理を示すフローチャートである。
【図７】ＡＲ物品セットＳＴ１の一例を示す図である。図７では、ＡＲ対応コースター１とＡＲ対応グラス２とのセットを示している。
【図８】（ａ）〜（ｃ）は、ＡＲマーカーＡＲＭ１とＡＲマーカー片１１及び１２との関係を示す図である。同図（ａ）はＡＲマーカーＡＲＭ１を示し、同図（ｂ）及び（ｃ）は、ＡＲマーカー片１１及び１２を示している。
【図９】（ａ）〜（ｄ）は、ＡＲマーカー片の他の組み合わせ例を示す図である。
【図１０】複数種類のＡＲマーカー片が設けられたＡＲ対応コースター１Ａの一例を示す平面図である。
【図１１】ＡＲマーカー片１１及び１２をつなぎ合わせてＡＲマーカーＡＲＭ１を形成する様子を示す図である。
【図１２】（ａ）及び（ｂ）は、ＡＲアプリケーションを起動後のユーザ端末２００の表示部に表示された表示内容を示す図である。同図（ａ）では、領域枠６００内にＡＲマーカーＡＭ１を捉えた様子を示し、図１０（ｂ）では、撮像画像上に重ねて表示されたＡＲコンテンツＡＣ１を示している。
【図１３】ＡＲマーカー片の他の構成例を示す図である。
【図１４】ＡＲマーカーが周縁部に設けられたＡＲ対応コースター３の一例を示す平面図である。
【図１５】ＡＲ対応コースター３にグラス４を載置した状態を示す斜視図である。同図中では、ＡＲマーカーＡＭ１０を単純形状にデフォルメして記している。
【発明を実施するための形態】
【００２６】
〔構成〕
以下、本発明の実施の形態を説明する。図１乃至図１２は、本実施の形態を示す図である。なお、図面は模式的なものである。そのため、厚みと平面寸法との関係、比率等は現実のものとは異なる場合があることに留意すべきであり、図面相互間においても互いの寸法の関係や比率が異なる部分が含まれている場合がある。また、以下に示す実施の形態は、本発明の技術的思想を具体化するための物品を例示するものであって、本発明の技術的思想は、構成部品の材質、形状、構造、配置等を下記の実施の形態に特定するものではない。
【００２７】
まず、本実施の形態の構成を説明する。
図１は、本実施の形態に係るネットワークシステムの構成を示すブロック図である。
インターネット１９９には、図１に示すように、ＡＲコンテンツ提供サービスを提供する企業の管理下にあるＡＲコンテンツ提供サーバ１００と、ユーザごとに設置されたユーザ端末２００とが接続されている。加えて、ＡＲコンテンツ提供サービスを利用してユーザにＡＲコンテンツを提供する提供者ごとに設置された提供者端末３００が接続されている。
【００２８】
ここで、ＡＲ（Augmented Reality）とは、拡張現実又は拡張現実感と呼ばれる技術であり、コンピューターを用いて、例えば、現実の映像にデジタル情報を加えたコンテンツ（ＡＲコンテンツ）を出力する技術である。
本実施の形態において、ＡＲコンテンツ提供サービスは、提供者端末３００を介した提供者からのＡＲマーカー及びＡＲコンテンツのＡＲコンテンツ提供サーバ１００への登録を行うサービスを含む。加えて、ユーザ端末２００から送信されてきたＡＲマーカーデータを受信し、登録されたＡＲコンテンツのなかから受信したＡＲマーカーデータに対応するＡＲコンテンツを索出し、索出したＡＲコンテンツのデータをユーザ端末２００に提供（送信）するサービスを含む。
【００２９】
〔ＡＲコンテンツ提供サーバ１００のハードウェア構成〕
次に、ＡＲコンテンツ提供サーバ１００のハードウェア構成を説明する。
図２は、ＡＲコンテンツ提供サーバ１００のハードウェア構成の一例を示す図である。
ＡＲコンテンツ提供サーバ１００は、図２に示すように、制御プログラムに基づいて演算及びシステム全体を制御するＣＰＵ（Central Processing Unit）３０と、所定領域に予めＣＰＵ３０の制御プログラム等を格納しているＲＯＭ（Read Only Memory）３２と、ＲＯＭ３２等から読み出したデータやＣＰＵ３０の演算過程で必要な演算結果を格納するためのＲＡＭ（Random Access Memory）３４と、外部装置に対してデータの入出力を媒介するＩ／Ｆ（interface）３８とで構成されており、これらは、データを転送するための信号線であるバス３９で相互に且つデータ授受可能に接続されている。なお、Ｉ／Ｆ３８には、ネットワークアダプタの機能も含まれている。
【００３０】
Ｉ／Ｆ３８には、外部装置として、ヒューマンインターフェースとしてデータの入力が可能なキーボードやマウス等からなる入力装置４０と、データやテーブル等をファイルとして格納する記憶装置４２と、画像信号に基づいて画面を表示する表示装置４４と、インターネット１９９に接続するための信号線（図示略）とが接続されている。
【００３１】
〔ユーザ端末２００のハードウェア構成〕
ユーザ端末２００は、例えば、スマートフォン、タブレットなどから構成されており、そのハードウェア構成は、図示省略するが、ＣＰＵと、アプリケーションソフトなどのプログラムやプログラムを実行するためのデータ等を格納しているＲＯＭと、ＲＯＭ等から読み出したデータやＣＰＵの演算過程で必要な演算結果を格納するためのＲＡＭと、付属の各種装置に対してデータの入出力を媒介するＩ／Ｆとで構成されている。これらは、データを転送するための信号線で相互に且つデータ授受可能に接続されている。
【００３２】
Ｉ／Ｆには、付属の各種装置として、データ入力が可能で且つ画像信号に基づいて画像を表示可能なタッチパネル式の表示入力装置、記憶装置、無線通信装置、ビデオカメラ等の撮像装置２１０（図１参照）が接続されている。
〔提供者端末３００のハードウェア構成〕
提供者端末３００は、上記ＡＲコンテンツ提供サーバ１００のような据え置き型を想定した端末、または上記ユーザ端末２００のようなスマートフォンやタブレットなどの携帯型の端末から構成されている。
【００３３】
〔各種管理テーブルについて〕
次に、記憶装置４２に記憶されている各種管理テーブルについて説明する。
図３は、記憶装置４２に記憶されている各種管理テーブルを示す図である。
記憶装置４２は、図３に示すように、提供者情報を管理する提供者管理テーブル４００と、登録されたＡＲマーカーデータを管理するＡＲマーカー管理テーブル４１０と、登録されたＡＲコンテンツデータを管理するＡＲコンテンツ管理テーブル４２０とを記憶している。加えて、記憶装置４２は、図示省略するが、提供者端末３００から受信したＡＲマーカーデータ及びＡＲコンテンツデータが登録されたＡＲマーカーライブラリ及びＡＲコンテンツライブラリを記憶している。
【００３４】
図４（ａ）〜（ｃ）は、提供者管理テーブル４００、ＡＲマーカー管理テーブル４１０及びＡＲコンテンツ管理テーブル４２０のデータ構造を示す図である。
提供者管理テーブル４００には、図４（ａ）に示すように、個人又は法人などのＡＲコンテンツの提供者ごとに１つのレコードが登録されている。各レコードは、提供者ＩＤ、提供者名、メールアドレス、ログインパスワード、提供者情報の作成日（登録日）及び更新日、その他の情報が登録されている。ここで、提供者ＩＤは、登録された提供者ごとにユニークなＩＤであり、ログインパスワードは、ＡＲコンテンツ提供サーバ１００の提供する提供者専用のページにアクセスするためのパスワードである。
【００３５】
ＡＲマーカー管理テーブル４１０には、図４（ｂ）に示すように、ＡＲマーカーごとに１つのレコードが登録されている。各レコードは、提供者ＩＤ、マーカーＩＤ、ＡＲマーカーの作成日及び更新日、その他の情報が登録されている。ここで、マーカーＩＤは、登録されたＡＲマーカーごとにユニークなＩＤである。
【００３６】
ＡＲコンテンツ管理テーブル４２０には、図４（ｃ）に示すように、ＡＲコンテンツごとに１つのレコードが登録されている。各レコードは、提供者ＩＤ、マーカーＩＤ、コンテンツＩＤ、ＡＲコンテンツの作成日及び更新日、その他の情報が登録されている。ここで、コンテンツＩＤは、登録されたＡＲコンテンツごとにユニークなＩＤである。
【００３７】
〔ＡＲコンテンツ提供サーバ１００の機能について〕
次に、ＡＲコンテンツ提供サーバ１００の機能について説明する。
ＡＲコンテンツ提供サーバ１００は、ＣＰＵ３０において、ＲＯＭ３２の所定領域に格納されている所定のプログラムを実行することで実現される機能として、以下の機能を有している。
【００３８】
ＡＲコンテンツ提供サーバ１００は、インターネット１９９を介して受信した提供者端末３００からの提供者情報を、記憶装置４２の提供者管理テーブル４００に登録する機能を有している。加えて、インターネット１９９を介して受信した提供者端末３００からのＡＲマーカーデータ及びＡＲコンテンツデータを、記憶装置４２のＡＲマーカーライブラリ及びＡＲコンテンツライブラリに登録する機能を有している。さらに、これらＡＲマーカーデータ及びＡＲコンテンツデータの管理情報を、ＡＲマーカー管理テーブル４１０及びＡＲコンテンツ管理テーブル４２０に登録する機能を有している。
【００３９】
ＡＲコンテンツ提供サーバ１００は、さらに、インターネット１９９を介して受信したユーザ端末２００からのＡＲマーカーデータに対応するＡＲコンテンツデータをＡＲコンテンツライブラリから読み出し、読み出したＡＲコンテンツデータをユーザ端末２００に送信する機能を有している。
【００４０】
〔ユーザ端末２００の機能について〕
次に、ユーザ端末２００の機能について説明する。
ユーザ端末２００は、ＣＰＵにおいて、ＲＯＭの所定領域に格納されている所定のプログラム（アプリケーションソフト）を実行することで実現される機能として、以下に示す機能を有している。
【００４１】
ユーザ端末２００は、ＡＲコンテンツ提供サービス用のアプリケーションプログラムを実行することで、ＡＲアプリケーションを起動し、撮像装置２１０にて、物品等に設けられたＡＲマーカーを撮像することで、撮像したＡＲマーカーに対応するＡＲコンテンツデータをＡＲコンテンツ提供サーバ１００から取得する。そして、取得したＡＲコンテンツデータに基づいてＡＲコンテンツを表示入力装置に表示する機能を有している。なお、ＡＲコンテンツデータは、画像や音楽などのデータから構成されており、ＡＲコンテンツは、撮像画像に重ねて画像を表示したり、表示した画像に合わせて効果音や楽曲を鳴らしたりするものである。
【００４２】
〔提供者端末３００の機能について〕
次に、提供者端末３００の機能について説明する。
提供者端末３００は、ＣＰＵにおいて、ＲＯＭの所定領域に格納されている所定のプログラムを実行することで実現される機能として、以下に示す機能を有している。
提供者端末３００は、ＡＲコンテンツ提供サーバ１００の提供する提供者登録用のＷｅｂページ（以下、「提供者ページ」と称す）において、入力装置を介した提供者の操作入力に応じて、提供者情報を入力する処理を行う機能を有している。加えて、入力された各情報をＡＲコンテンツ提供サーバ１００に送信する機能を有している。
【００４３】
提供者端末３００は、さらに、提供者ページにおいて、提供者の操作入力に応じて、ＡＲコンテンツデータ及びＡＲコンテンツデータをＡＲコンテンツ提供サーバ１００に送信する処理を行う機能を有している。
〔ＡＲコンテンツ提供処理〕
次に、ＡＲコンテンツ提供サーバ１００で実行されるＡＲコンテンツ提供処理の処理手順について説明する。
【００４４】
図５は、ＡＲコンテンツ提供処理を示すフローチャートである。
ＣＰＵ３０は、ＲＯＭ３２の所定領域に格納されている所定のプログラムを起動させ、そのプログラムに従って、図５のフローチャートに示すＡＲコンテンツ提供処理を実行する。
ＡＲコンテンツ提供処理は、ＣＰＵ３０において実行されると、図５に示すように、まず、ステップＳ１００に移行する。
【００４５】
ステップＳ１００では、ユーザ端末２００からのＡＲマーカーデータを受信したか否かを判定し、受信したと判定した場合（YES）は、ステップＳ１０２に移行し、そうでないと判定した場合（NO）は、一連の処理を終了して元の処理に復帰させる。
ステップＳ１０２に移行した場合は、受信したＡＲマーカーデータを記憶装置４２のＡＲマーカーライブラリに登録されたＡＲマーカーデータと照合して、ステップＳ１０４に移行する。
【００４６】
ステップＳ１０４では、ステップＳ１０２の照合結果に基づき、ＡＲマーカーデータがＡＲマーカーライブラリに登録されたデータか否かを判定する。そして、登録されたデータであると判定した場合（YES）は、ステップＳ１０６に移行し、そうでないと判定した場合（NO）は、一連の処理を終了して元の処理に復帰する。
【００４７】
ステップＳ１０６に移行した場合は、登録されたＡＲマーカーに対応するＡＲコンテンツデータをＡＲコンテンツライブラリから取得する。そして、取得したＡＲコンテンツデータを、ＡＲマーカーの送信元のユーザ端末２００に送信して、一連の処理を終了し元の処理に復帰させる。
【００４８】
〔ＡＲコンテンツ表示処理〕
次に、ユーザ端末２００で実行されるＡＲコンテンツ表示処理の処理手順について説明する。
図６は、ＡＲコンテンツ表示処理を示すフローチャートである。
ユーザ端末２００のＣＰＵは、ＲＯＭの所定領域に格納されている所定のプログラム（ＡＲアプリケーションソフト）を起動させ、そのプログラムに従って、図６のフローチャートに示すＡＲコンテンツ表示処理を実行する。
【００４９】
ＡＲコンテンツ表示処理は、ユーザ端末２００のＣＰＵにおいて実行されると、図６に示すように、まず、ステップＳ２００に移行する。
ステップＳ２００では、ＡＲアプリケーションの起動に連動して起動される撮像装置２１０による撮像が開始されたか否かを判定する。そして、撮像が開始されたと判定した場合（YES）は、ステップＳ２０２に移行し、そうでないと判定した場合（NO）は、撮像が開始するまで判定処理を繰り返す。
【００５０】
ステップＳ２０２に移行した場合は、撮像装置２１０の撮像画像に重ねて表示された領域枠内の撮像画像の撮像画像データをＡＲマーカーデータとして取得して、ステップＳ２０４に移行する。
ステップＳ２０４では、ステップＳ２０２で取得したＡＲマーカーデータを、ＡＲコンテンツ提供サーバ１００に送信して、ステップＳ２０６に移行する。
【００５１】
ステップＳ２０６では、ＡＲコンテンツ提供サーバ１００からのＡＲコンテンツデータを受信したか否かを判定する。そして、受信したと判定した場合（YES）は、ステップＳ２０８に移行し、そうでないと判定した場合（NO）は、一連の処理を終了して元の処理に復帰する。
【００５２】
ステップＳ２０８に移行した場合は、受信したＡＲコンテンツデータと、撮像装置２１０で撮像しているＡＲマーカーの位置情報とに基づいて、撮像画像に重ねてＡＲコンテンツを表示する。その後、ステップＳ２１０に移行する。
ステップＳ２１０では、撮像画像中の領域枠内からＡＲマーカーが外れたか否かを判定する。そして、外れたと判定した場合（YES）は、一連の処理を終了して元の処理に復帰し、そうでないと判定した場合（NO）は、ステップＳ２０８に移行して、ＡＲコンテンツの表示を継続する。
【００５３】
ここで、ＡＲマーカーが領域枠内から外れたか否かの判定は、例えば、ＡＲマーカーが撮像されたときの位置情報を記憶しておき、この位置からどれだけ外れたかを判定することで行う。また、例えば、ＡＲコンテンツが得られたときの領域枠内の画像を記憶しておき、この画像と領域枠内の撮像画像とのマッチングを行って判定する。なお、判定方法は、これらに限らず、別の方法を用いてもよい。
【００５４】
〔ＡＲ対応物品セットについて〕
次に、本実施の形態に係るＡＲ対応物品セットについて説明する。
本実施の形態に係るＡＲ対応物品セットは、組み合わせて使用又は流通される複数の物品から構成されたものであり、これら複数の物品の各々には、ＡＲマーカーを複数に分割してなる複数のＡＲマーカー片のうちいずれか１つ又は複数のＡＲマーカー片が設けられている。
【００５５】
以下、組み合わせて使用されるＡＲ対応物品セットについて、具体例を挙げて説明する。
図７（ａ）及び（ｂ）は、ＡＲ対応物品セットＳＴ１（以下、単に「物品セットＳＴ１」と称す）を示す図である。同図（ａ）は、ＡＲ対応コースター１を示す平面図であり、同図（ｂ）は、ＡＲ対応グラス２を示す正面図である。また、図８（ａ）〜（ｃ）は、ＡＲマーカーＡＲＭ１とＡＲマーカー片１１及び１２との関係を示す図である。
【００５６】
図７（ａ）及び（ｂ）に示すように、本実施の形態の物品セットＳＴ１は、ＡＲ対応コースター１（以下、単に「ＡＲコースター１」と称す）と、ＡＲ対応グラス２（以下、単に「ＡＲグラス２」と称す）とを備えている。
ＡＲコースター１は、グラスやティーカップ等の飲用容器を載置するものであって、円盤形状のコースター本体１０を備えている。コースター本体１０の載置面側の周縁部１０ｓには、周方向に沿って等間隔に４つのＡＲマーカー片１１が設けられている。これら４つのＡＲマーカー片１１は、例えば、プリント、刻印、描画などによってＡＲコースター１に設けられている。また、コースター本体１０は、例えば、ポリエチレン（ＰＥ）、ポリプロピレン（ＰＰ）、シリコンなどの材料から構成されている。
【００５７】
さらに、４つのＡＲマーカー片１１は、いずれも平面視で略Ｔ字形状を成しており、Ｔ字の上辺部が周縁部１０ｓ内に配置され、Ｔ字の下方突出部が周縁部１０ｓから、内側部１０ｃ内へとＡＲコースター１の中心に向かって延びた配置となっている。また、内側部１０ｃの中央部のやや上方には、漢字の「魚」と、その下にローマ字の「Ｓａｋａｎａ」とが設けられている。これら「魚」と「Ｓａｋａｎａ」とは、例えば、プリント、刻印、描画などによってＡＲコースター１に設けられている。
【００５８】
ＡＲグラス２は、正面視で台形を上下逆さにした形状のグラス本体２０を備え、その下端側の外周面に、周方向に沿って等間隔に４つのＡＲマーカー片１２が設けられている。これら４つのＡＲマーカー片１２は、プリント、刻印、描画などによってＡＲグラス２に設けられている。さらに、４つのＡＲマーカー片１２は、正面視で略十字形状を成している。
【００５９】
ここで、本実施の形態のＡＲマーカー片１１及び１２は、図８（ａ）に示すＡＲマーカーＡＲＭ１を、同図（ａ）中に示す破線の位置で上下に２分割してなるものである。具体的に、図８（ｂ）に示すように、分割後の上部分がＡＲマーカー片１２となっており、図８（ｃ）に示すように、分割後の下部分がＡＲマーカー片１１となっている。
【００６０】
また、本実施の形態では、各ＡＲマーカー片１１と各ＡＲマーカー片１２とは、ＡＲグラス２をＡＲコースター１の載置面の中央に載置した状態で、両者をつなぎ合わせることができる形状及び位置関係に構成されている。具体的に、ＡＲマーカー片１２の十字の縦棒はＡＲグラス２の下端まで設けられており、ＡＲマーカー片１１のＴ字の下方突出部は、中央に載置されたＡＲグラス２の十字の縦棒の下端に到達する長さに設けられている。
【００６１】
また、本実施の形態では、４つのＡＲマーカー片１１と４つのＡＲマーカー片１２とが、いずれか１組のＡＲマーカー片１１とＡＲマーカー片１２とをつなぎ合わせることで、４つすべての組のＡＲマーカーＡＭ１を形成できる位置関係に構成されている。
なお、ＡＲマーカー片は、上記のＡＲコースター１及びＡＲグラス２のように、組み合わせて使用される複数の物品の場合は、使用時の形態で組み合わせたときにつなぎ合わせることができる位置に設けることが望ましい。例えば、ＡＲコースター１及びＡＲグラス２の組み合わせであれば、カフェやレストランなどでドリンク商品に付随させてＡＲコンテンツのサービスを提供することができる。また、例えば、ＡＲコースター１の載置面に、ＡＲグラス２を載置する位置をガイドする例えば円状のマークを設けてもよい。
【００６２】
ここで、図９（ａ）〜（ｄ）は、ＡＲマーカー片の他の組み合わせを示す図である。また、図１０は、複数種類のＡＲマーカー片が設けられたＡＲ対応コースター１Ａの一例を示す平面図である。
上記ＡＲコースター１及びＡＲグラス２に形成するＡＲマーカー片の組み合わせは、ＡＲマーカーＡＭ１を形成するＡＲマーカー片１１及び１２の組み合わせに限らない。
【００６３】
例えば、図９（ａ）に示すように、物品セットＳＴ１において、ＡＲコースター１をそのままに、ＡＲグラス２に代えて、略Ｌ字状のＡＲマーカー片２２をグラス本体２０に設けたＡＲグラス２Ａを備える物品セットＳＴ２を構成することができる。この構成であれば、ＡＲグラス２ＡのＡＲマーカー片２２とＡＲコースター１のＡＲマーカー片１１とをつなぎ合わせてＡＲマーカーＡＭ２を形成することができる。
【００６４】
また、図９（ｂ）に示すように、物品セットＳＴ１において、ＡＲコースター１をそのままに、ＡＲグラス２に代えて、略Ｙ字状のＡＲマーカー片２３をグラス本体２０に設けたＡＲグラス２Ｂを備える物品セットＳＴ３を構成することができる。この構成であれば、ＡＲグラス２ＢのＡＲマーカー片２３とＡＲコースター１のＡＲマーカー片１１とをつなぎ合わせてＡＲマーカーＡＭ３を形成することができる。
【００６５】
また、例えば、図９（ｃ）に示すように、物品セットＳＴ１において、ＡＲグラス２をそのままに、ＡＲコースター１に代えて、略Ｌ字状のＡＲマーカー片１２をコースター本体１０に設けたＡＲコースター１Ａを備える物品セットＳＴ４を構成することができる。この構成であれば、ＡＲグラス２のＡＲマーカー片２１とＡＲコースター１ＡのＡＲマーカー片１２とをつなぎ合わせてＡＲマーカーＡＭ４を形成することができる。
【００６６】
また、例えば、図９（ｄ）に示すように、ＡＲコースター１Ａと、ＡＲグラス２Ｂとを備える物品セットＳＴ５を構成することができる。この構成であれば、ＡＲグラス２ＢのＡＲマーカー片２２とＡＲコースター１ＡのＡＲマーカー片１２とをつなぎ合わせてＡＲマーカーＡＭ５を形成することができる。
【００６７】
なお、物品セットＳＴ１〜ＳＴ４において、ＡＲグラス２、２Ａ及び２Ｂのグラス本体２０の形状、色、模様などのデザインを、それぞれ異なるデザインに構成することもできる。また、物品セットＳＴ１〜ＳＴ４において、ＡＲコースター１及び１Ａのコースター本体１０の形状、色、模様などのデザインを、それぞれ異なるデザインに構成することもできる。
【００６８】
また、ＡＲマーカー片の他の組み合わせについて、図９（ａ）〜（ｄ）に示す内容に限らず、これら以外の他の組み合わせとすることもできる。また、ＡＲマーカー片は、Ｔ字、十字、Ｌ字などの単純形状に限らず、複雑な絵や文字などから構成することもできる。
また、ＡＲコースター１及びＡＲグラス２には、１種類のＡＲマーカー片を４つずつ設ける構成としたが、この構成に限らない。例えば、１種類のＡＲマーカー片を３つ以下ずつ設けてもよいし、５つ以上ずつ設ける構成とすることもできる。
【００６９】
また、ＡＲマーカー片は、１つの物品に１種類を設ける構成に限らず、例えば、図１０のＡＲコースター１Ｂに示すように、２種類のＡＲマーカー片１１及び１２を各種２つずつ設ける構成など、２種類以上のＡＲマーカー片を設ける構成とすることができる。また、設ける数も、各種２つずつに限らず、各種１つずつ又は３つ以上ずつ設ける構成とすることができる。
【００７０】
また、ＡＲコースター１ＢとＡＲグラス２との組み合わせを物品セットＳＴ６とすると、物品セットＳＴ６は、組み合わせることで２種類のＡＲマーカーＡＭ１及びＡＭ４を同時に形成することができる。
〔動作〕
次に、本実施の形態の動作を説明する。
図１１は、ＡＲマーカー片１１及び１２をつなぎ合わせてＡＲマーカーＡＭ１を形成する様子を示した図である。また、図１２（ａ）及び（ｂ）は、ＡＲアプリケーションを起動後のユーザ端末２００の表示部に表示された表示内容を示す図である。同図（ａ）では、領域枠６００内にＡＲマーカーＡＭ１を捉えた様子を示し、同図（ｂ）では、撮像画像上に重ねて表示されたＡＲコンテンツＡＣ１を示している。
【００７１】
ここでは、ユーザが、図７に示す物品セットＳＴ１を使用した場合の動作を説明する。
ユーザは、図１１の左図に示すように、ＡＲコースター１の載置面上に、飲み物を注いだＡＲグラス２を載置することで両者を組み合わせる。次に、ＡＲコンテンツを利用するために、ＡＲグラス２の載置位置や姿勢を調整して、図１１の右図に示すように、ＡＲコースター１のＡＲマーカー片１１と、ＡＲグラス２のＡＲマーカー片１２とをつなぎ合わせて、ＡＲマーカーＡＭ１を形成する。
【００７２】
引き続き、ユーザは、ユーザ端末２００を操作して、ユーザ端末２００に、ＡＲアプリケーションを起動させ、撮像装置２１０による撮像を開始させる（ステップＳ２００のYES）。ユーザは、ユーザ端末２００の表示画面内に表示された撮像画像を見ながら、図１２（ａ）に示すように、ＡＲマーカーＡＭ１が表示画面内に表示された４つの略Ｌ字状のマークから構成された領域枠６００内に入るように撮像装置２１０の撮像位置を調整する。ユーザ端末２００は、所定周期で領域枠６００内の撮像画像データをＡＲマーカーデータとして取得し（ステップＳ２０２）、取得したＡＲマーカーデータをＡＲコンテンツ提供サーバ１００に送信する（ステップＳ２０４）。即ち、ユーザ端末２００は、領域枠６００内にＡＲマーカーＡＭ１が入っている場合は、領域枠６００内のＡＲマーカーＡＭ１を含む撮像画像データをＡＲコンテンツ提供サーバ１００に送信する。
【００７３】
一方、ＡＲコンテンツ提供サーバ１００は、ユーザ端末２００からのＡＲマーカーデータを受信すると（ステップＳ１００のYES）、受信したＡＲマーカーデータを、記憶装置４２のＡＲマーカーライブラリに登録されたＡＲマーカーデータと照合する（ステップＳ１０２）。引き続き、この照合結果に基づき、受信したＡＲマーカーデータ（厳密にはこのデータに含まれるＡＲマーカーＡＭ１のデータ部分）が登録されたデータであるか否かを判定する（ステップＳ１０４）。ここでは、ＡＲマーカーＡＭ１のＡＲマーカーデータが登録されたデータであるとする。したがって、ＡＲコンテンツ提供サーバ１００は、受信したＡＲマーカーデータを登録されたデータであると判定して（ステップＳ１０４のYES）、受信したＡＲマーカーデータに対応するＡＲコンテンツデータを、記憶装置４２のＡＲコンテンツライブラリから取得する。そして、取得したＡＲコンテンツデータを、ＡＲマーカーデータの送信元のユーザ端末２００に送信する（ステップＳ１０６）。
【００７４】
ユーザ端末２００は、ＡＲコンテンツ提供サーバ１００からのＡＲコンテンツデータを受信すると（ステップＳ２０６のYES）、受信したＡＲコンテンツデータと、ＡＲマーカーＡＭ１の位置情報（座標情報）とに基づき、ＡＲコンテンツＡＣ１を撮像画像上に重ねて表示する。具体的に、ユーザ端末２００は、図１２（ｂ）に示すように、ＡＲコンテンツＡＣとして、潜水状態の魚が同図中の矢印に示すように、ＡＲコースター１の撮像画像であるコースター撮像画像１ｉｍの周りを泳いだ後に水しぶきを上げてＡＲグラス２の撮像画像であるグラス撮像画像２ｉｍの上までジャンプするアニメーションを表示する。なお、アニメーションに合わせて効果音や楽曲などを、ユーザ端末２００の備えるスピーカーから出力してもよい。
【００７５】
以降は、領域枠６００内にＡＲマーカーＡＭ１を捉えている間は（ステップＳ２０８のNO）、ＡＲコンテンツＡＣ１が繰り返し表示され、ＡＲマーカーＡＭ１が領域枠６００内から外れた場合（ステップＳ２０８のYES）は、ＡＲコンテンツＡＣ１の表示が終了する。
【００７６】
〔対応関係〕
本実施の形態において、ＡＲ対応コースター１及びＡＲ対応グラス２は、発明８のＡＲ対応物品に対応している。
〔実施の形態の効果〕
次に、本実施の形態の効果を説明する。
本実施の形態では、物品セットＳＴ１を、ＡＲマーカー片１１が設けられたＡＲコースター１と、ＡＲマーカー片１２が設けられたＡＲグラス２とから構成した。ここで、ＡＲコースター１は、円盤形状のコースター本体１０の載置面側の周縁部１０ｓから下方突出部が内側部１０ｃの中心方向に向かって延びる略Ｔ字形状の４つのＡＲマーカー片１１が周方向に沿って等間隔に設けられた構成とした。また、ＡＲグラス２は、グラス本体２０の下端側の外周面に略十字形状の４つのＡＲマーカー片１２が周方向に沿って等間隔に設けられた構成とした。また、ＡＲマーカー片１１とＡＲマーカー片１２とは、ＡＲコースター１の載置面の中央にＡＲグラス２を載置した状態で、ＡＲマーカー片１１とＡＲマーカー片１２とをつなぎ合わせてＡＲマーカーＡＭ１を形成できる構成とした。
【００７７】
このような構成であれば、ＡＲコースター１とＡＲグラス２とを、使用時の形態で組み合わせた状態でＡＲマーカーＡＭ１を形成することができる。これにより、ユーザ端末２００にて、使用時の形態で組み合わされた状態の物品セットＳＴ１に対してＡＲマーカーＡＭ１を撮像することができるとともに、ユーザ端末２００の表示画面にＡＲコンテンツＡＣ１を表示することができる。加えて、２つのＡＲマーカー片１１及び１２をつなぎ合わせてＡＲマーカーＡＭ１を形成する構成としたので、例えば、様々な種類のグラスと様々な種類のコースターとの組み合わせごとに、形成可能なＡＲマーカーの種類を変更することで、組み合わせごとに異なるＡＲコンテンツを提供可能な物品セットを構成することができる。
【００７８】
また、ＡＲマーカー片１１を、コースター本体１０の周縁部に設けたので、ＡＲグラス２をＡＲコースター１に設けられたＡＲマーカー片１１を隠さずに載置しやすくすることができる。加えて、コースター側及び飲用容器側にそれぞれ４つずつ同一のＡＲマーカー片を設けるようにしたので、飲用容器とコースターとの間で互いの最も近くにあるＡＲマーカー片同士をつなぎ合わせることでＡＲマーカーを形成できるので、ＡＲマーカーを形成し易くできる。
【００７９】
また、本実施の形態では、図９（ａ）〜（ｄ）に例示したように、ＡＲコースター１又は１Ａのコースター本体１０に設けるＡＲマーカー片を共通として、ＡＲグラス２、２Ａ及び２Ｂのグラス本体２０に設けるＡＲマーカー片を様々な種類とする構成とした。
このような構成であれば、ＡＲ対応物品セットを構成する物品のうち少なくとも１つに設けるＡＲマーカー片を１種類にして、組み合わせごとに異なる種類のＡＲコンテンツを提供可能な物品セットを構成することができる。その結果、比較的低コストで、複数種類ＡＲマーカーに対応した複数種類の物品セットを構成することができる。
【００８０】
また、本実施の形態では、図１０に例示したように、ＡＲコースター１Ｂのコースター本体１０に、２種類のＡＲマーカー片１１及び１２を各種２つずつ設ける構成とした。
このような構成であれば、ＡＲコースター１ＢとＡＲグラス２とを組み合わせた物品セットＳＴ６を構成した場合に、１つの物品セットで２種類のＡＲコンテンツを提供することができる。また、ＡＲグラス２の方は共通の１種類のＡＲマーカー片２１を設ける構成としたので、比較的低コストで、複数種類のＡＲマーカーに対応した物品セットを構成することができる。
【００８１】
なお、ＡＲグラス２側にも２種類のＡＲマーカー片を設けることで、１つの物品セットで４種類のＡＲコンテンツを提供することができる。このように、組み合わせるｍ種類（ｍは２以上の自然数）の物品のそれぞれにｎ種類（ｎは２以上の自然数）のＡＲマーカー片を設けることで、ｎｍ種類のＡＲマーカーを形成することができ、ｎｍ種類のＡＲコンテンツを提供することが可能となる。
【００８２】
〔変形例〕
また、上記実施の形態では、ＡＲコースター１及び１Ｂの形状を、円盤形状とする例を説明したが、この構成に限らない。例えば、平面視で三角形、四角形、五角形、六角形などの多角形の形状から構成してもよいし、ひし形、星形などの他の形状から構成してもよい。
また、上記実施の形態及びその変形例において、ＡＲ対応物品セットを構成する複数のＡＲ対応物品の少なくとも１つに、ＡＲマーカー片に加えて、ＡＲマーカーを設ける構成としてもよい。この構成であれば、ユーザは、ＡＲ対応物品セットを構成する複数のＡＲ対応物品の一部を無くしたり壊したりしても、ＡＲ対応物品単体でＡＲコンテンツを利用することができる。
【００８３】
また、上記実施の形態及びその変形例では、コースターとグラスとからなる物品セットを例に挙げて説明したが、この構成に限らない。例えば、コースターとコーヒーカップなど他の種類の飲用容器と組み合わせて物品セットを構成してもよいし、コースターに限らず、ソーサーとコーヒーカップなどのソーサーと飲用容器との組み合わせでＡＲ対応物品セットを構成してもよい。また、ペットボトルやガラス瓶などの他の飲用容器と組み合わせてＡＲ対応物品セットを構成してもよい。また、コースター又はソーサーと飲用容器との組み合わせに限らず、例えばコースター又はソーサーとこれらを置くランチョンマットとの組み合わせや、例えばフライパンとフライパンの蓋、鍋と鍋蓋などの容器と容器の蓋との組み合わせや、例えばカードゲームのカードとカードを置くプレイマットとの組み合わせなど他の物品の組み合わせから物品セットを構成してもよい。
【００８４】
また、上記実施の形態及びその変形例では、コースターとグラスの２種類の物品から物品セットを構成する例を説明したが、この構成に限らず、ＡＲマーカーを形成可能な組み合わせであれば３種類以上の物品から物品セットを構成してもよい。
また、上記実施の形態及びその変形例では、組み合わせて使用される複数の物品を備えた物品セットを例に挙げて説明したが、この構成に限らず、例えば、組み合わせて流通される複数の物品を備える物品セットに本発明を適用してもよい。具体的に、組み合わせて流通されるお菓子や石鹸などの包装箱にＡＲマーカー片を設け、複数の包装箱を組み合わせることでＡＲマーカーを形成可能な構成とする。以下、具体例を挙げて説明する。
【００８５】
ここで、図１３（ａ）〜（ｃ）は、組み合わせて流通される複数の物品を包装する包装箱にＡＲマーカー片を設けた場合の構成例を示す図である。図１３（ａ）に示すように、例えば、立方体形状の３種類のＡＲ対応包装箱５Ａ、５Ｂ及び５Ｃ（以下、「ＡＲ包装箱５Ａ、５Ｂ及び５Ｃ」と称す）を作成する。これらＡＲ包装箱５Ａ〜５Ｃには、それぞれ異なる物品が入れられていてもよいし、同じ物品が入れられていてもよい。例えば、同種で香りや味が異なる複数種類の石鹸やお菓子などを種類ごとに異なる包装箱に入れてもよいし、例えば、同種で香りや味が同じ石鹸やお菓子などをそれぞれ異なる包装箱に入れてもよい。
【００８６】
ＡＲ包装箱５Ａの少なくとも１つの面には正面視で略Ｌ字形状のＡＲマーカー片５１Ａが設けられており、ＡＲ包装箱５Ｂの少なくとも１つの面には正面視で略十字形状のＡＲマーカー片５１Ｂが設けられている。加えて、ＡＲ包装箱５Ｃの少なくとも１つの面には正面視で略Ｔ字形状のＡＲマーカー片５１Ｃが設けられている。なお、ＡＲマーカー片５１Ａは、ＡＲ包装箱５Ａの下端にマーカー片の一部が到達するように設けられ、ＡＲマーカー片５１Ｃは、ＡＲ包装箱５Ｃの上端にマーカー片の一部が到達するように設けられている。また、ＡＲマーカー片５１Ｂは、ＡＲ包装箱５Ｂの上端及び下端にマーカー片の一部が到達するように設けられている。このような構成とすることで、図１３（ｂ）に示すように、ＡＲ包装箱５Ａ〜５ＣのＡＲマーカー片５１Ａ〜５１Ｃをつなぎ合わせてＡＲマーカーＡＭ６を形成することができる。
【００８７】
なお、図１３（ｃ）に示すように、ＡＲ包装箱５Ａ〜５Ｃからいずれか１つを抜いて、残り２つのＡＲマーカー片をつなぎ合わせて、ＡＲマーカーＡＭ７、ＡＭ８及びＡＭ９を形成できる構成としてもよい。逆にいうと、図１３（ｃ）に示す各２つの組み合わせに対して、ＡＲ包装箱５Ａ〜５Ｃのうち組み合わせに無いＡＲ包装箱を１つ足すことで、図１３（ｂ）に示すＡＲマーカーＡＭ６を形成できる構成とすることができる。
このように、組み合わせて流通される複数の物品の組み合わせの仕方によって複数種類のＡＲマーカーを形成できる構成としてもよい。なお、製品を入れる包装箱にＡＲマーカー片を設ける構成を説明したが、この構成に限らず、例えば、箱以外の他の包装物や組み合わせて流通される製品本体にＡＲマーカー片を設ける構成としてもよい。
【００８８】
また、上記実施の形態及びその変形例においては、複数の物品に設けられたＡＲマーカー片をつなぎ合わせて１つのＡＲマーカーを形成可能な物品セットについて説明をしたが、ＡＲコースター１の周縁部にＡＲマーカー片を設ける構成は、ＡＲマーカー片に代えてＡＲマーカーを設ける構成にも有用である。以下、具体例を挙げて説明する。
【００８９】
ここで、図１４は、ＡＲマーカーが周縁部に設けられたＡＲ対応コースター３の一例を示す平面図であり、図１５は、ＡＲ対応コースター３にグラス４を載置した状態を示す模式的な斜視図である。同図中では、ＡＲマーカーＡＭ１０を単純形状にデフォルメして記している。
【００９０】
図１４に示すように、ＡＲ対応コースター３（以下、単に「ＡＲコースター３」と称す）は、円盤形状のコースター本体３０を備え、その載置面側の周縁部３０ｓに４つのＡＲマーカーＡＭ１０が周方向に沿って等間隔に設けられている。コースター本体３０は、上記コースター本体１０と同様の材料から構成することができる。また、４つのＡＲマーカーＡＭ１０は、周方向の時計回り方向を正方向、反時計回り方向を逆方向として、いずれも正逆方向に線対称となる図形から構成されており、且つ周縁部３０ｓ内に収まる形状およびサイズに構成されている。
具体的に、コースター本体の直径を例えば８０［ｍｍ］とした場合に、各ＡＲマーカーＡＭ１０の周方向の長さは例えば４０［ｍｍ］に構成され、径方向の長さは例えば６．１７９［ｍｍ］に構成される。また、４つのＡＲマーカーＡＭ１０は、上記コースター本体１０の中心を回転中心とした回転角度で９０［°］の等間隔となる位置に周方向の中心位置が来るようにそれぞれ配置されている。例えば、いずれか１つのＡＲマーカーＡＭ１０の中心位置を０°とすると、０°、９０°、１８０°、２７０°の位置にそれぞれ配置されている。そして、これら各周方向の中心位置から周方向の正逆方向にそれぞれ例えば２５．０４４［°］（トータルで５０．０８８［°］）の角度範囲に亘って配置されている。
また、コースター本体３０の内側部３０ｃの中央部のやや上方には、漢字の「魚」と、その下にローマ字の「Ｆｉｓｈ」とが描かれている。
【００９１】
かかる構成によって、図１５に示すように、ＡＲコースター３の載置面の中央にＡＲマーカーＡＭ１０を隠すことなく例えば底部の直径５０［ｍｍ］のグラス４を載置することができる。これにより、ＡＲコースター３とグラス４とを使用時の形態で組み合わせた状態でもＡＲマーカーＡＭ１０を撮像することができる。
【００９２】
なお、上記実施の形態及びその変形例と同様に、ユーザ端末２００にてＡＲアプリケーションを起動し、撮像装置２１０にてＡＲマーカーＡＭ１０を撮像して、そのＡＲマーカーデータをＡＲコンテンツ提供サーバ１００に送信することでＡＲコンテンツを利用することができる。
【符号の説明】
【００９３】
１，１Ａ，１Ｂ，３…ＡＲ対応コースター、  １ｉｍ…コースター撮像画像、  ２ｉｍ…グラス撮像画像、  ２，２Ａ，２Ｂ…ＡＲ対応グラス、  ４…グラス、  １０…コースター本体、１０ｓ，３０ｓ…周縁部、１０ｃ，３０ｃ…内側部、  １１，１２，２１〜２３，５１Ａ〜５１Ｃ…ＡＲマーカー片、  ２０…グラス本体、  １００…ＡＲコンテンツ提供サーバ、  ２００…ユーザ端末、  ３００…提供者端末、  ＡＭ１〜ＡＭ１０…ＡＲマーカー、  ＳＴ１〜ＳＴ６…ＡＲ対応物品セット
【要約】      （修正有）【課題】組み合わせて使用又は流通される複数の物品を備えた物品セットであって、組み合わせたときに１つのＡＲマーカーを形成可能に構成されたＡＲ対応物品セット及びこれを構成するＡＲ対応物品を提供する。【解決手段】ＡＲ対応物品セットＳＴ１は、ＡＲ対応コースター１及びＡＲ対応グラス２を備え、ＡＲ対応コースター１のコースター本体１０の周縁部１０ｓには、ＡＲマーカーを２分割した一方のＡＲマーカー片１１が周方向に沿って等間隔に４つ設けられており、ＡＲ対応グラス２のグラス本体２０の下端側の外周面には、２分割した他方のＡＲマーカー片２１が周方向に沿って等間隔に４つ設けられており、ＡＲマーカー片１１及び２１は、ＡＲ対応グラス２をＡＲ対応コースター１の載置面に載置させたときにそれぞれのＡＲマーカー片１１及び２１をつなぎ合わせてＡＲマーカーを形成可能に設けられている。【選択図】図７【図１】
0006771795.tif 000002
【図２】
0006771795.tif 000003
【図３】
0006771795.tif 000004
【図４】
0006771795.tif 000005
【図５】
0006771795.tif 000006
【図６】
0006771795.tif 000007
【図７】
0006771795.tif 000008
【図８】
0006771795.tif 000009
【図９】
0006771795.tif 000010
【図１０】
0006771795.tif 000011
【図１１】
0006771795.tif 000012
【図１２】
0006771795.tif 000013
【図１３】
0006771795.tif 000014
【図１４】
0006771795.tif 000015
【図１５】
0006771795.tif 000016